【事件の表示】
　平成　６年特許願第　３０３２３号「ＣＤ−ＲＯＭデコーダ」拒絶査定に対する審判事件［平成　７年　９月１９日出願公開、特開平　７−２４４９３５］について、次のとおり審決する。
【結　論】
　本件審判の請求は、成り立たない。
【理　由】
１．手続の経緯、本願発明
　この出願は、平成６年２月２８日の出願であって、その請求項１に係る発明は、平成１１年７月７日付け手続補正書で補正された明細書及び図面の記載からみて、その特許請求の範囲の請求項１に記載された次のとおりのものと認める。（以下、「本願発明」という）
「ディスク媒体から読み出されるデジタルデータに対し、制御用のマイコンの指示に従い、データに含まれる誤りの訂正処理を施してコンピュータ機器側へ転送するＣＤ−ＲＯＭデコーダにおいて、ディスク媒体から連続的に読み出されるデジタルデータに一定の間隔で付された同期信号を検出する同期信号検出回路と、上記同期信号の検出に応答して上記マイコンへ割り込み指示を与える割り込み指示発生回路と、を備え、上記ディスク媒体から読み出されるデジタルデータのコンピュータ機器側への転送が、上記マイコンの指示に基づいて停止されることを特徴とするＣＤ−ＲＯＭデコーダ。」
　
２．引用例
　これに対して、原出願の拒絶の理由に引用された、特開平６３−１４９８８０号公報（昭和６３年６月２２日出願公開。以下、「引用例」という）には、
「上記磁気媒体より読み出された信号よりビットシリアルなデータと該データの同期信号とを分離するデータセパレータ」（第１頁左下欄第７〜９行）
「本発明の磁気記憶装置は、ＶＦＯ回路を磁気媒体より読み出された同期信号に同期させ、（中略）ＶＦＯ回路がロック状態であるか否かを判断し、ロック状態であれば、データを転送する外部装置の入力部のゲートを制御するイネーブル信号と、外部装置からのデータ転送要求があれば、転送開始信号を出力するものである。」（第２頁右上欄第９〜１８行）
「データセパレータ回路１は磁気媒体、例えば磁気テープより読み出されたデータ、即ちデータ信号と当該データ信号の同期信号との複号信号をそれぞれ分離し、データ信号並びに同期信号として出力するものである。」（第２頁左下欄第１１〜１５行）
「フェーズロック検出回路２２がＶＦＯ回路２のロック状態を検出し、ロック状態であればイネーブル信号を出力し入力バッファのゲートを開ける。これに続いて、ＣＰＵのチャネルよりデータ転送を要求する信号が与えられるとＡＮＤゲート２３を用い、転送開始信号を出力するとともに、この信号に従い、例えば入力バッファ２１内のデータがＣＰＵのメモリに転送されるものである。」（第３頁左上欄第１７行〜同頁右上欄第４行）
「即ち、実施例ではイネーブル信号並びに転送開始信号によって、エラーしたデータを転送することを防ぐものである。」（第３頁右上欄第５〜７行）
の記載があり、これらの記載及び図面を参照すると、引用例には以下の発明が記載されていると認められる。（以下、「引用例記載の発明」という）
「磁気媒体から読み出されるディジタルデータを、外部装置に転送する磁気記憶装置において、
　磁気媒体から読み出された、ビットシリアルなデータ信号と該データ信号の同期信号の複号信号から同期信号を分離するデータセパレータと、
　前記同期信号に同期するＶＦＯ回路のロック状態を検出し、ロック状態であればイネーブル信号を出力するフェーズロック検出回路と、を備え、
　上記イネーブル信号によって、エラーしたデータの外部装置への転送を防ぐ、磁気記憶装置」
　
３．対比
　本願発明と引用例記載の発明とを比較すると、
（１）引用例記載の発明の「外部装置」が、本願発明の「コンピュータ」に相当する。
（２）引用例記載の発明の「ビットシリアルなデータ信号」は連続的に読み出されていると認められ、また「同期信号」は一定の間隔で付されたものと認められるから、引用例記載の発明の「磁気媒体から読み出された、ビットシリアルなデータ信号と該データ信号の同期信号の複号信号から同期信号を分離するデータセパレータ」は、本願発明の「媒体から連続的に読み出されるデジタルデータに一定の間隔で付された同期信号を検出する同期信号検出回路」に相当する。
（３）引用例記載の発明の「前記同期信号に同期するＶＦＯ回路のロック状態を検出し、ロック状態であればイネーブル信号を出力する」及び「上記イネーブル信号によって、エラーしたデータの外部装置への転送を防ぐ」が、、本願発明の「上記同期信号の検出に応答」して「指示を与え」て、「媒体から読み出されるディジタルデータのコンピュータ機器側への転送」が「停止される」に相当する。
から、本願発明と引用例記載の発明は、
「媒体から読み出されるデジタルデータを、コンピュータ機器側へ転送する装置において、媒体から連続的に読み出されるデジタルデータに一定の間隔で付された同期信号を検出する同期信号検出回路、を備え、上記同期信号の検出に応答して指示を与え、上記媒体から読み出されるデジタルデータのコンピュータ機器側への転送が停止されることを特徴とする装置。」
である点で一致し、以下の点で相違する。
・相違点１
　本願発明のデータが読み出される媒体が「ＣＤ−ＲＯＭ」ディスクであるのに対して、引用例記載の発明では「磁気媒体」である点。
・相違点２
　本願発明は「データに含まれる誤りの訂正処理」を施す「ＣＤ−ＲＯＭデコーダ」の発明であるのに対して、引用例記載の発明は、データに含まれる誤りの訂正処理やデコード処理についての記載がない点。
・相違点３
　本願発明は「制御用のマイコン」を有しているのに対して、引用例記載の発明は制御用のマイコンに関する記載がない点。
・相違点４
　本願発明は「同期信号の検出に応答して上記マイコンへ割り込み指示を与える割り込み指示発生回路」を有し、「上記ディスク媒体から読み出されるデジタルデータのコンピュータ機器側への転送」は「上記マイコンの指示に基づいて停止される」のに対し、引用例記載の発明は「前記同期信号に同期するＶＦＯ回路のロック状態を検出し、ロック状態であればイネーブル信号を出力するフェーズロック検出回路」を備え、「上記イネーブル信号によって、エラーしたデータの外部装置への転送を防ぐ」ものである点。
　
４．当審の判断
　上記相違点について検討する。
（１）相違点１に対して
　ディジタルデータが記録された媒体として、引用例記載の磁気媒体の他、ＣＤ−ＲＯＭディスクは周知である。また、本願発明において、媒体がＣＤ−ＲＯＭディスクであることによる格別の点は認められない。したがって、データが読み出される媒体として、周知なものの中から何を選択するかは、適宜なし得る設計的事項にすぎず、上記相違点１は格別なものとは言えない。
（２）相違点２に対して
　媒体から読み出されたデータに対して、誤りの訂正処理を行うことやデコード処理を行うことは、ディジタルデータの読み出しにおいては、慣用的に行われている処理である。引用例には「特にエラーチェックのコードを用いないイメージデータの転送に有効なものである。」（第３頁右上欄第１３〜１５行）の記載もあるが、「特に〜有効」と記載されているように、エラーチェックのコードを用いたデータの転送を排除するものではない。そして、エラーチェックのコードを用いたデータの転送の際には、上記の慣用的に行われている処理と同様に、誤りの訂正処理やデコード処理を行うものと認められるから、これらは当業者が適宜付加し得る設計的事項であると認められる。
（３）相違点３、４に対して
　媒体から読み取られたデータを転送する装置において、制御用のマイコンを用いること、及び、問題が生じたときに前記制御用マイコンに割り込みをかけ、処理を依頼することは、例えば特開平３−２４１５７０号公報や特開平３−８３２２８号公報に記載されているように周知な技術であり、この周知技術に基づいて、引用例記載の発明のデータの転送を制御用マイコンで制御すること、及び、引用例記載の発明において、転送を停止すべき状態を検出したときに、上記制御用マイコンに割り込みを指示を出し、前記制御用マイコンに処理を依頼するよう変更することは、当業者にとって格別困難こととは言えず、その効果も予想外のものではない。
　
５．出願人の意見
　出願人は、平成１１年７月７日付け意見書において「各部の動作をマイコンで制御することが周知であったとしても、（中略）ロック検出が転送を許可することがマイコンの負担を軽減することに容易に結びつけられるとは考えられない。」と主張しているが、マイコンの負担の上記「軽減」は、ロック検出を上記マイコンが行う、本願の明細書記載の従来技術と比較したときの効果である。（なお、この効果もマイコンの一部機能をハードウエアで単に置換したにすぎず、格別なものではない。）
　マイコンの負担の絶対量で検討すると、引用例記載の発明は、マイコン以外のデータセパレータ、ＶＦＯ、フェーズロック検出回路で、同期信号の規則性を検出しているから、他の動作を周知なマイコン制御で行ったとしても、同期検出の規則性をハードウエアで行っている分だけマイコンの負担が「少ない」ことは、当業者にとって容易に予測し得る事項である。
　したがって、本願発明のマイコンの負担に関する効果は、引用例記載の発明及び周知技術から当業者が容易に予測可能なものであるから、出願人の上記主張は採用できない。
　
６．むすび
　したがって、本願発明は、引用例記載の発明及び周知技術から、当業者が容易に発明をすることができたものであるから、特許法第２９条第２項の規定により、特許を受けることができない。
　よって結論のとおり審決する。